(57)【要約】      （修正有）【課題】回転方向ガタが小さく、空転時の信頼性の高い、トルク容量の大きな２方向ローラクラッチを提供する。【解決手段】外輪１１の内周に円筒面を形成し、内輪１２の外周に複数のカム面を設ける。外輪１１と内輪１２間に組込まれた保持器１６には、ポケットを形成し、各ポケット内に対向一対のローラと、そのローラを離反する方向に向けて付勢するコイルばね１９とを組込む。保持器１６を軸方向に２分割して、軸方向に移動可能とされた制御保持器１６Ａと、軸方向に非可動とされ、かつ、回転可能とされた回転保持器１６Ｂとを設ける。制御保持器１６Ａの分割柱部と回転保持器１６Ｂの分割柱部との軸方向の突合せ部に傾斜カム面を形成し、制御保持器１６Ａの軸方向の移動により、その制御保持器１６Ａと回転保持器１６Ｂとを相対回転させてポケットの周方向幅を変化させ、対向一対のローラを円筒面およびカム面に瞬時に係合または係合解除させる。【選択図】図１
2009144771.tif 000002
【特許請求の範囲】
【請求項１】
外輪の内周と、その外輪の内側に組込まれた内輪の外周の一方に円筒面を形成し、他方にその円筒面との間で周方向の両端に至るに従って狭小のくさび空間を形成する複数のカム面を周方向に間隔をおいて設け、前記外輪と内輪間に組込まれた保持器には、前記複数のカム面のそれぞれと対向する位置にポケットを形成し、各ポケット内に対向一対のローラと、その対向一対のローラを離反する方向に向けて付勢するコイルばねとを組込み、前記保持器を隣接するポケット間に形成された柱部からの切り離しによって軸方向に移動可能とされ、かつ、回転可能とされた制御保持器と、軸方向に非可動とされ、かつ、回転可能とされた回転保持器とに分割し、その制御保持器の分割柱部と回転保持器の分割柱部の軸方向の突合せ部に、回転保持器に向けての制御保持器の移動により、ポケットの周方向幅が縮小する方向に制御保持器と回転保持器とを相対回転させる傾斜カム面を形成し、前記内輪の一側面に環状のばねホルダを固定し、そのばねホルダの外周部に複数のポケットのそれぞれ内部に挿入されて、制御保持器と回転保持器とがポケットの周方向幅を縮小する方向に相対回転した際に、各保持器の分割柱部を受け止めて対向一対のローラを中立位置に保持する複数の回り止め片を設け、その回り止め片のそれぞれに前記コイルばねと交差する方向に延びて、各コイルばねの径方向外方への移動を防止する支持片を設けた２方向ローラクラッチ。
【請求項２】
前記コイルばねを複数として、その複数のコイルばねをローラの軸方向に並列に配置した請求項１に記載の２方向ローラクラッチ。
【請求項３】
前記支持片の内径面にコイルばねの少なくとも外周一部を収容する収容部を形成した請求項１又は２に記載の２方向ローラクラッチ。
【請求項４】
前記コイルばねの前記支持片の周方向両側面から外方に位置する両端部を、隣接するコイル部が互いに密着する密巻きとした請求項１乃至３のいずれかの項に記載の２方向ローラクラッチ。
【請求項５】
前記コイルばねを筒体内に収容し、その筒体内の両端部にローラ押圧用の一対の押圧子を組込んだ請求項１乃至３のいずれかの項に記載の２方向ローラクラッチ。
【請求項６】
前記筒体の両端に押圧子を抜止めする内向きフランジを形成して、筒体と、コイルばねと、押圧子とをユニット化した請求項５に記載の２方向ローラクラッチ。
【請求項７】
前記筒体が、ポケットの周方向幅が縮小する方向に制御保持器と回転保持器とが相対的に回転した際に、前記対向一対のローラを受け止めて中立位置に停止保持する軸方向長さとされた請求項５又は６に記載の２方向ローラクラッチ。
【発明の詳細な説明】
【技術分野】
【０００１】
この発明は、外輪とその内側に組込まれた内輪の相互間で回転の伝達と遮断とを行う２方向ローラクラッチに関する。
【背景技術】
【０００２】
この種の２方向ローラクラッチとして、外輪の内周に円筒面を形成し、外輪の内側に組込まれた内輪の外周に上記円筒面との間で周方向の両端に至るに従って狭小となるくさび空間を形成する複数のカム面を周方向に間隔をおいて設け、上記外輪と内輪間に組込まれた保持器には、各カム面と対向する位置にポケットを形成し、各ポケット内にローラを組込み、上記保持器を内輪に対して相対回転させ、ローラをくさび空間の一端側の狭小部に噛み込ませて外輪と内輪の相互間で回転トルクを伝達するようにしたものが従来から知られている。
【０００３】
ところで、上記２方向ローラクラッチにおいては、くさび空間の広幅部に配置された中立位置のローラを内輪と保持器の相対回転によりくさび空間の狭小部に噛み込ませる構成であるため、回転方向のガタが大きいという不都合がある。
【０００４】
また、外輪と内輪の相互間で一方向の回転トルクを伝達する状態から回転トルクの伝達方向を切換える場合、ローラがくさび空間の他端側の狭小部に噛み込むまで保持器を回転させる必要があるため、回転方向の切換え時における応答性が低いという不都合もある。
【０００５】
そのような不都合を解消するため、特許文献１では、隣接するローラの一方がくさび空間の一端側に位置し、他方のローラがくさび空間の他端側に位置するよう複数のローラを周方向に不等配に配置した２方向ローラクラッチを提案している。
【０００６】
【特許文献１】特開２００３−２６２２３８号公報
【発明の開示】
【発明が解決しようとする課題】
【０００７】
ところで、上記特許文献１に記載された２方向ローラクラッチにおいては、回転方向ガタを小さくすることができるものの、回転方向ガタを完全に無くすことはできず、また、ローラと外輪円筒面および内輪カム面間の隙間が小さいため、２方向ローラクラッチの空転時にローラがミス係合する可能性があり、空転時の信頼性が低いという問題がある。
【０００８】
さらに、外輪と内輪の相互間における回転トルクの伝達状態では、複数のローラの半数のローラが係合状態であって、残りの半数のローラは係合解除状態にあるため、トルク容量が小さいという問題がある。
【０００９】
この発明の課題は、回転方向ガタが小さく、空転時の信頼性の高い、トルク容量の大きな２方向ローラクラッチを提供することである。
【課題を解決するための手段】
【００１０】
上記の課題を解決するため、この発明においては、外輪の内周と、その外輪の内側に組込まれた内輪の外周の一方に円筒面を形成し、他方にその円筒面との間で周方向の両端に至るに従って狭小のくさび空間を形成する複数のカム面を周方向に間隔をおいて設け、前記外輪と内輪間に組込まれた保持器には、前記複数のカム面のそれぞれと対向する位置にポケットを形成し、各ポケット内に対向一対のローラと、その対向一対のローラを離反する方向に向けて付勢するコイルばねとを組込み、前記保持器を隣接するポケット間に形成された柱部からの切り離しによって軸方向に移動可能とされ、かつ、回転可能とされた制御保持器と、軸方向に非可動とされ、かつ、回転可能とされた回転保持器とに分割し、その制御保持器の分割柱部と回転保持器の分割柱部の軸方向の突合せ部に、回転保持器に向けての制御保持器の移動により、ポケットの周方向幅が縮小する方向に制御保持器と回転保持器とを相対回転させる傾斜カム面を形成し、前記内輪の一側面に環状のばねホルダを固定し、そのばねホルダの外周部に複数のポケットのそれぞれ内部に挿入されて、制御保持器と回転保持器とがポケットの周方向幅を縮小する方向に相対回転した際に、各保持器の分割柱部を受け止めて対向一対のローラを中立位置に保持する複数の回り止め片を設け、その回り止め片のそれぞれに前記コイルばねと交差する方向に延びて、各コイルばねの径方向外方への移動を防止する支持片を設けた構成を採用したのである。
【００１１】
上記の構成からなる２方向ローラクラッチにおいて、制御保持器を回転保持器から離反する方向に移動させると、制御保持器の分割柱部に形成された傾斜カム面と回転保持器の分割柱部に形成された傾斜カム面間に隙間が生じるため、コイルばねの押圧力により対向一対のローラを介して制御保持器の分割柱部と回転保持器の分割柱部が相反する方向に押圧されて、制御保持器と回転保持器はポケットの周方向幅が大きくなる方向に相対回転し、対向一対のローラのそれぞれがくさび空間の両端の狭小部に直ちに噛み込むことになり、対向一対のローラの一方を介して外輪と内輪の相互間で一方向の回転トルクが伝達され、他方のローラを介して他方向の回転トルクが伝達される。
【００１２】
外輪と内輪の相互間における回転トルクの伝達状態において、制御保持器を回転保持器に向けて移動させると、柱部の突合せ部に設けた傾斜カム面のカム作用により、制御保持器と回転保持器はポケットの周方向幅が小さくなる方向に相対回転し、対向一対のローラは制御保持器の分割柱部と回転保持器の分割柱部により互いに接近する方向に押圧されて係合解除状態とされ、外輪と内輪の相互間で回転トルクの伝達が遮断される。
【００１３】
ここで、コイルばねを複数とし、その複数のコイルばねをローラの軸方向に並列に配置することにより、対向一対のローラのスキュを防止することができる。
【００１４】
また、ばねホルダに設けられた支持片の内径面にコイルばねの少なくとも外周一部を収容する収容部を形成すると、コイルばねの位置が安定すると共に、そのコイルばねの折れ曲がりを防止し、ローラを周方向に向けて確実に押圧することができる。
【００１５】
さらに、コイルばねの前記支持片の周方向両側面から外方に位置する両端部を、隣接するコイル部が互いに密着する密巻きとすると、コイルばねの収縮時に、コイルばねのコイル部が支持片の内径面の両側エッジに干渉して収縮が阻害されるのを防止することができる。
【００１６】
また、コイルばねを筒体内に収容し、その筒体内の両端部にローラ押圧用の一対の押圧子を組込むことにより、コイルばねの収縮時におけるコイル部の干渉をより確実に防止することができる。
【００１７】
上記のような筒体を採用する場合において、筒体の両端に押圧子を抜止めする内向きフランジを形成して、筒体と、コイルばねと、押圧子とをユニット化することにより、対向一対のローラ間に対するコイルばねの組込みの容易化を図ることができる。
【００１８】
ここで、上記筒体の軸方向長さを、ポケットの周方向幅が縮小する方向に制御保持器と回転保持器とが相対的に回転した際に、前記対向一対のローラを受け止めて中立位置に停止保持する軸方向長さとすることにより、ばねホルダの回り止め片をラフな寸法とすることができるため、ばねホルダの製作の容易化を図ることができる。
【発明の効果】
【００１９】
上記のように、この発明においては、制御保持器を回転保持器から離反する方向に移動させると、コイルばねの押圧により制御保持器と回転保持器がポケットの周方向幅が大きくなる方向に相対回転して対向一対のローラのそれぞれがくさび空間の両端の狭小部に直ちに噛み込むため、回転方向ガタの小さい２方向ローラクラッチを得ることができる。
【００２０】
また、制御保持器を回転保持器に向けて移動させると、対向一対のローラは制御保持器と回転保持器の分割柱部で押されて係合解除状態とされ、その係合解除状態で対向一対のローラは制御保持器と回転保持器の分割柱部によってくさび空間の狭小部に向けて移動するのが防止されるため、２方向ローラクラッチの空転時にローラがミス係合するようなことはなく、空転時の信頼性の高い２方向ローラクラッチを得ることができる。
【００２１】
さらに、カム面と同数のローラを介して外輪と内輪の相互間で回転トルクが伝達されるため、トルク容量の大きな２方向ローラクラッチを得ることができる。
【００２２】
ここで、外輪と内輪の相互間における回転トルクの伝達時、コイルばねには遠心力が作用し、そのコイルばねの支持が不安定であると、コイルばねが対向一対のローラ間から外径側に抜け出して、２方向ローラクラッチの機能を発揮させることができなくなる。しかし、この発明では、内輪にばねホルダを固定し、そのばねホルダの外周部に形成した支持片でコイルばねの外径方向への移動を防止するようにしたので、コイルばねが遠心力によって対向一対のローラ間から外径側に離脱するという不都合の発生はなく、２方向ローラクラッチとしての機能を確実に発揮させることができる。
【発明を実施するための最良の形態】
【００２３】
以下、この発明の実施の形態を図面に基いて説明する。図１は、同軸上に配置された第１軸１と第２軸２との間で回転の伝達と遮断とを行う回転伝達装置を示す。この回転伝達装置は、この発明に係る２方向ローラクラッチ１０と、その２方向ローラクラッチ１０の係合および係合解除を制御する電磁クラッチ３０とからなっている。
【００２４】
２方向ローラクラッチ１０は、第１軸１の軸端部に設けられた外輪１１と、第２軸２の軸端部に設けられて上記外輪１１の内側に組込まれた内輪１２とを有し、その外輪１１と内輪１２は軸受１３を介して相対的に回転自在に支持されている。
【００２５】
図５に示すように、外輪１１の内周には円筒面１４が形成され、一方、内輪１２の外周には、その円筒面１４との間で周方向の両端に向けて狭小となるくさび空間を形成する複数の平坦なカム面１５が周方向に間隔をおいて設けられている。
【００２６】
外輪１１と内輪１２との間には保持器１６が組込まれている。図２および図５に示すように、保持器１６は、中心に孔を有する端板１６ａ、１６ｂを両端に備えている。この保持器１６には複数のカム面１５と対向する位置にポケット１７が形成され、各ポケット１７内に対向一対のローラ１８と、その一対のローラ１８を離反する方向に付勢する複数のコイルばね１９が組込まれている。
【００２７】
図３に示すように、保持器１６は隣接するポケット１７間に形成された柱部２０からの切り離しにより制御保持器１６Ａと回転保持器１６Ｂとに分割されている。
【００２８】
図２に示すように、制御保持器１６Ａは、端板１６ａの内周部に形成された筒部１６ｃが第２軸２上を摺動自在に、かつ、回転自在に支持されている。一方、回転保持器１６Ｂは内輪１２の端部に形成されたボス部１２ａに嵌合されて回転自在に支持され、上記ボス部１２ａの外周に取付けた止め輪２１と内輪１２の一側面とによって軸方向に非可動の支持とされている。
【００２９】
図３に示すように、制御保持器１６Ａの分割柱部２０ａと回転保持器１６Ｂの分割柱部２０ｂの切り離し部における軸方向の突合せ面には傾斜カム面２２ａ、２２ｂが形成され、上記制御保持器１６Ａを回転保持器１６Ｂに向けて移動させると、カム面２２ａ、２２ｂのカム作用によってポケット１７の周方向幅が縮小する方向に制御保持器１６Ａと回転保持器１６Ｂが相対回転するようになっている。
【００３０】
図２乃至図４に示すように、内輪１２の他側面にはばねホルダ２３が固定されている。ばねホルダ２３は環状板からなり、その外周面には保持器１６の各ポケット１７内に配置される複数の回り止め片２４が形成されている。
【００３１】
複数の回り止め片２４は、制御保持器１６Ａと回転保持器１６Ｂとがポケット１７の周方向幅を縮小する方向に相対回転した際に、制御保持器１６Ａの分割柱部２０ａおよび回転保持器１６Ｂの分割柱部２０ｂを両側縁で受け止めて対向一対のローラ１８を中立位置に保持するようになっている。
【００３２】
回り止め片２４のそれぞれには、複数のコイルばね１９に対して交差方向に延びる支持片２５が形成され、各支持片２５の内径面にコイルばね１９を収容する収容部２６が設けられ、その収容部２６によってコイルばね１９は径方向外方に移動するのが防止されている。
【００３３】
ここで、収容部２６は、図６（I）に示すように、コイルばね１９の外周一部を収容する半円形の切欠部からなるものであってもよく、あるいは、図６（II）に示すように、コイルばね１９が挿入される孔からなるものであってもよい。なお、収容部２６を省略し、支持片２５の内径面によってコイルばね１９の径方向外方への移動を防止するようにしてもよい。
【００３４】
図１および図２に示すように、電磁クラッチ３０は、制御保持器１６Ａの端板１６ａと軸方向で対向するアーマチュア３１と、そのアーマチュア３１と軸方向で対向するロータ３２と、そのロータ３２と軸方向で対向する電磁石３３と、上記ロータ３２から離反する方向に向けてアーマチュア３１を付勢する離反ばね３４とを有している。
【００３５】
アーマチュア３１は、制御保持器１６Ａの端板１６ａに形成された筒部１６ｃに嵌合されて回転自在に支持され、その筒部１６ｃの外周に取付けられた止め輪３５によって軸方向に非可動に支持されている。
【００３６】
ロータ３２は、第２軸２の外周面に圧入されている。また、ロータ３２には複数の円弧状のスリット３６が同一円上に形成され、各スリット３６内に離反ばね３４の弾性に抗してアーマチュア３１をロータ３２に吸着する永久磁石３７が組込まれている。
【００３７】
電磁石３３は、電磁コイル３３ａと、その電磁コイル３３ａを支持するコア３３ｂとからなり、上記コア３３ｂは２方向ローラクラッチ１０および電磁クラッチ３０を覆うハウジング３８に固定されている。
【００３８】
電磁石３３は、電磁コイル３３ａに対する通電により永久磁石３７のアーマチュア３１に対する磁束を制御してアーマチュア３１の吸着を解除するようになっている。
【００３９】
実施の形態で示す回転伝達装置は上記の構造からなり、図２は電磁石３３の電磁コイル３３ａに通電している状態を示し、アーマチュア３１は離反ばね３４の押圧によりロータ３２に対して吸着解除された状態にある。また、２方向ローラクラッチ１０の対向一対のローラ１８は、図５に示すように、外輪１１の円筒面１４および内輪１２のカム面１５に対して係合解除された中立位置に保持され、２方向ローラクラッチ１０は係合解除状態とされている。
【００４０】
２方向ローラクラッチ１０の係合解除状態において、第２軸２に回転トルクを入力して、内輪１２を一方向に回転すると、ばねホルダ２３に形成された回り止め片２４が制御保持器１６Ａの分割柱部２０ａと回転保持器１６Ｂの分割柱部２０ｂの一方を押圧するため、内輪１２と共に制御保持器１６Ａおよび回転保持器１６Ｂが回転する。このとき、対向一対のローラ１８は中立位置に保持されているため、内輪１２の回転は外輪１１に伝達されず、内輪１２はフリー回転する。
【００４１】
内輪１２のフリー回転状態において、電磁コイル３３ａに対する通電を遮断すると、永久磁石３７の磁力によりアーマチュア３１に吸引力が作用し、アーマチュア３１は軸方向に移動してロータ３２に吸着される。
【００４２】
ここで、アーマチュア３１は制御保持器１６Ａに対して軸方向に非可動に支持されているため、アーマチュア３１の軸方向への移動に伴って制御保持器１６Ａは回転保持器１６Ｂから離れる方向に移動する。
【００４３】
このとき、制御保持器１６Ａの分割柱部２０ａに形成された傾斜カム面２２ａと回転保持器１６Ｂの分割柱部２０ｂに形成された傾斜カム面２２ｂ間に隙間が生じるため、コイルばね１９の押圧力により対向一対のローラ１８を介して制御保持器１６Ａの分割柱部２０ａと回転保持器１６Ｂの分割柱部２０ｂが相反する方向に押圧され、その押圧により制御保持器１６Ａと回転保持器１６Ｂはポケット１７の周方向幅が大きくなる方向に相対回転し、対向一対のローラ１８のそれぞれがくさび空間の両端の狭小部に直ちに噛み込むことになり、対向一対のローラ１８の一方を介して内輪１２の回転が外輪１１に伝達され、外輪１１が内輪１２と同方向に回転する。
【００４４】
ここで、第２軸２を停止して、その第２軸２の回転方向を切換えると、他方のローラ１８を介して内輪１２の回転が外輪１１に伝達される。
【００４５】
このように、制御保持器１６Ａが回転保持器１６Ｂから離反する方向に移動すると、コイルばね１９の押圧により制御保持器１６Ａと回転保持器１６Ｂがポケット１７の周方向幅が大きくなる方向に相対回転して、対向一対のローラ１８のそれぞれがくさび空間の両端の狭小部に直ちに噛み込むため、回転方向ガタは小さく、内輪１２の回転を外輪１１に直ちに伝達することができる。
【００４６】
また、内輪１２から外輪１１への回転トルクの伝達は、カム面１５と同数のローラ１８を介して行われるため、内輪１２から外輪１１に大きな回転トルクを伝達することができる。
【００４７】
外輪１１と内輪１２の相互間における回転トルクの伝達状態において、電磁コイル３３ａに通電すると、永久磁石３７のアーマチュア３１に対する磁束が制御されるため、離反ばね３４の押圧によりアーマチュア３１はコア３３ｂから離反する方向に移動し、制御保持器１６Ａは回転保持器１６Ｂに向けて移動する。
【００４８】
このとき、制御保持器１６Ａの分割柱部２０ａと回転保持器１６Ｂの分割柱部２０ｂの突合せ部に設けた傾斜カム面２２ａ、２２ｂのカム作用により、制御保持器１６Ａと回転保持器１６Ｂはポケット１７の周方向幅が小さくなる方向に相対回転し、対向一対のローラ１８は制御保持器１６Ａの分割柱部２０ａと回転保持器１６Ｂの分割柱部２０ｂにより押圧されて、図５に示すように、係合解除状態とされる。このため、内輪１２の回転は外輪１１に伝達されず、内輪１２がフリー回転する。
【００４９】
このように、制御保持器１６Ａが回転保持器１６Ｂに向けて移動すると、対向一対のローラ１８が制御保持器１６Ａと回転保持器１６Ｂの分割柱部２０ａ、２０ｂで押されて係合解除状態とされ、その係合解除状態で対向一対のローラ１８は制御保持器１６Ａと回転保持器１６Ｂの分割柱部２０ａ、２０ｂによってくさび空間の狭小部に向けて移動するのが防止されるため、２方向ローラクラッチの空転時にローラ１８がミス係合するようなことはない。
【００５０】
ここで、制御保持器１６Ａを回転保持器１６Ｂに向けて移動させ、その両保持器１６Ａ、１６Ｂをポケット１７の周方向幅が小さくなる方向に相対回転させると、制御保持器１６Ａの分割柱部２０ａと回転保持器１６Ｂの分割柱部２０ｂがばねホルダ２３に形成された回り止め片２４の両側縁に当接して相対回転量が規制される。
【００５１】
このため、コイルばね１９は必要以上に収縮することはなくなり、伸長と収縮が繰り返し行われても疲労によって破損するようなことはない。
【００５２】
図８は、コイルばね１９の他の例を示す。この例においては、支持片２５の周方向両側面から外方に位置するコイルばね１９の両端部を、隣接するコイル部１９ａが互いに密着する密巻きとしている。
【００５３】
上記のように、コイルばね１９の両端部を密巻きとすると、コイルばね１９の収縮時に、コイルばね１９のコイル部１９ａが支持片２５に形成された収容部２６の開口端におけるエッジに干渉して収縮が阻害されるのを防止することができる。
【００５４】
図９は、対向一対のローラ１８を離反する方向に向けて付勢する押圧ユニット４０を示す。この押圧ユニット４０においては、筒体４１の内部にコイルばね１９と、そのコイルばね１９の両端部に外向きフランジ４２ａを端部に有する一対の押圧子４２とを組込み、上記筒体４１の両端部に内向きフランジ４３を設けて、コイルばね１９および一対の押圧子４２を抜止めしている。
【００５５】
上記のように、筒体４１内にコイルばね１９を組込むことによって、コイルばね１９は筒体４１の内部で伸縮するため、コイル部１９ａが干渉してコイルばね１９の収縮が阻害されるという不都合の発生を皆無とすることができる。
【００５６】
また、筒体４１内にコイルばね１９と押圧子４２とを組込んでユニット化することにより、対向一対のローラ１８間に対するコイルばね１９の組込みの容易化を図ることができる。
【００５７】
ここで、上記筒体４１の軸方向長さを、ポケット１７の周方向幅が縮小する方向に制御保持器１６Ａと回転保持器１６Ｂとが相対的に回転した際に、対向一対のローラ１８を受け止めて中立位置に停止保持する軸方向長さとすることにより、ばねホルダ２３の回り止め片２４をラフな寸法とすることができるため、ばねホルダ２３の製作の容易化を図ることができる。
【００５８】
なお、実施の形態では、外輪１１の内周に円筒面１４を形成し、内輪１２の外周にカム面１５を設けたが、外輪１１の内周にカム面を形成し、内輪１２の外周に円筒面を設けてもよい。
【図面の簡単な説明】
【００５９】
【図１】この発明に係る２方向ローラクラッチを組込んだ回転伝達装置の縦断正面図
【図２】図１の一部分を拡大して示す断面図
【図３】２方向ローラクラッチの保持器の一部分を示す平面図
【図４】図３のIV−IV線に沿った断面図
【図５】図３のV−V線に沿った断面図
【図６】（I）は、ばねホルダに設けられた支持片を示す側面図、（II）は、支持片の他の例を示す側面図
【図７】コイルばねの組込み部を示す斜視図
【図８】コイルばねの他の例を示す断面図
【図９】押圧ユニットを示す断面図
【符号の説明】
【００６０】
１１    外輪
１２    内輪
１４    円筒面
１５    カム面
１６    保持器
１６Ａ  制御保持器
１６Ｂ  回転保持器
１７    ポケット
１８    ローラ
１９    コイルばね
１９ａ  コイル部
２０ａ  分割柱部
２０ｂ  分割柱部
２２ａ  傾斜カム面
２２ｂ  傾斜カム面
２３    ばねホルダ
２４    回り止め片
２５    支持片
２６    収容部
４１    筒体
４２    押圧子
４３    内向きフランジ
【図１】
2009144771.tif 000003
【図２】
2009144771.tif 000004
【図３】
2009144771.tif 000005
【図４】
2009144771.tif 000006
【図５】
2009144771.tif 000007
【図６】
2009144771.tif 000008
【図７】
2009144771.tif 000009
【図８】
2009144771.tif 000010
【図９】
2009144771.tif 000011